(57)【要約】【課題】  燃焼負荷が下がってきた場合に、固定的に間引かれているバーナーを考慮しながら簡便に間引くバーナーを決める燃焼バーナーの間引き制御方法を提供する。【解決手段】  複数の燃焼バーナーを備えた加熱炉の制御ゾーン内で間引く燃焼バーナーを一定の周期毎に移動させる燃焼バーナーの間引き制御方法において、制御ゾーン内の燃焼バーナー数と同数以上のビット数を有するレジスタ１０〜１２を用意し、燃焼バーナー１つにつき、レジスタ１０〜１２の１つのビットを対応させて燃焼バーナーのオンオフを行う。【選択図】        図１
2006275401.tif 000002
【特許請求の範囲】
【請求項１】
複数の燃焼バーナーを備えた加熱炉の制御ゾーン内で間引く燃焼バーナーを一定の周期毎に移動させる燃焼バーナーの間引き制御方法において、
前記制御ゾーン内の燃焼バーナー数と同数以上のビット数を有するレジスタを用意し、前記燃焼バーナー１つにつき、前記レジスタの１つのビットを対応させて前記燃焼バーナーのオンオフを行うことを特徴とする燃焼バーナーの間引き制御方法。
【請求項２】
請求項１記載の燃焼バーナーの間引き制御方法において、間引きする前記燃焼バーナーに対応する前記レジスタ上のビットを１サイクル毎に順次移動することによって間引きを行う前記燃焼バーナーを決定することを特徴とする燃焼バーナーの間引き制御方法。
【請求項３】
請求項２記載の燃焼バーナーの間引き制御方法において、前記燃焼バーナー中に固定間引きの燃焼バーナーを有し、該固定間引きの燃焼バーナーに前記間引かれる燃焼バーナーが重なる場合、重なった前記燃焼バーナーをパスして前記間引きを行う燃焼バーナーを決定することを特徴とする燃焼バーナーの間引き制御方法。
【請求項４】
請求項１〜３のいずれか１項に記載の燃焼バーナーの間引き制御方法において、前記燃焼バーナーは燃焼と蓄熱を交互に繰り返す蓄熱式燃焼バーナーであって、前記蓄熱式燃焼バーナーを対として前記間引き制御を行うことを特徴とする燃焼バーナーの間引き制御方法。
【発明の詳細な説明】
【技術分野】
【０００１】
本発明は、例えば、製鉄所等で鋼材を加熱する加熱炉において使用する燃焼バーナーの間引き制御方法に関する。
【背景技術】
【０００２】
従来、燃焼バーナーの間引き制御方法としては、種々の方法が提案されているが、制御ソフトウェアに関するものは見当たらない。例えば、非特許文献１には、スラブ用加熱炉の燃焼制御技術として、以下のものが提案されている。
（１）炉長方向に制御ゾーンを多分割とし、炉長方向の任意なヒートパターン制御を行う。
（２）制御ゾーン毎の燃焼負荷が小さい場合に、点火バーナーの本数を減少させ、点火バーナー１本当たりの燃焼負荷量を増加させることで、炉幅方向の炉温の均一化を図る。
（３）消火バーナー部の炉長方向炉温の低下に対しては、点火バーナーの位置を周期的に移動させることによって解消する。
【０００３】
【非特許文献１】「鉄と鋼」，社団法人日本鉄鋼協会，１９８９年，第２号，ｐ．２８２−２８９
【発明の開示】
【発明が解決しようとする課題】
【０００４】
しかしながら、上記非特許文献１には点火バーナーの位置変更の具体的な制御ソフトウェアに関する記載はなく、また、点火バーナーが故障等によって間引きされる（即ち、固定間引きされる）バーナーがある場合、どのようにバーナーを間引くかを決定する技術の開示はない。
本発明はかかる事情に鑑みてなされたもので、燃焼負荷が下がってきた場合に、固定的に間引かれているバーナーを考慮しながら簡便に間引くバーナーを決める燃焼バーナーの間引き制御方法を提供することを目的とする。
【課題を解決するための手段】
【０００５】
前記目的に沿う本発明に係る燃焼バーナーの間引き制御方法は、複数の燃焼バーナーを備えた加熱炉の制御ゾーン内で間引く燃焼バーナーを一定の周期毎に移動させる燃焼バーナーの間引き制御方法において、
前記制御ゾーン内の燃焼バーナー数と同数以上のビット数を有するレジスタを用意し、前記燃焼バーナー１つにつき、前記レジスタの１つのビットを対応させて前記燃焼バーナーのオンオフを行う。
【０００６】
本発明の燃焼バーナーの間引き制御方法において、間引きする前記燃焼バーナーに対応する前記レジスタ上のビットを１サイクル毎に順次移動することによって間引きを行う前記燃焼バーナーを決定することもできる。また、この方法において、特に、前記燃焼バーナー中に固定間引きの燃焼バーナーを有し、該固定間引きの燃焼バーナーに前記間引かれる燃焼バーナーが重なる場合には、重なった前記燃焼バーナーをパスして前記間引きを行う燃焼バーナーを決定するのが好ましい。
【０００７】
また、本発明に係る燃焼バーナーの間引き制御方法において、前記燃焼バーナーは燃焼と蓄熱を交互に繰り返す蓄熱式燃焼バーナーであって、前記蓄熱式燃焼バーナーを対として前記間引き制御を行うこともできる。
【発明の効果】
【０００８】
請求項１〜４記載の燃焼バーナーの間引き制御方法によって、仮に燃焼バーナーの数を増減しても同じ制御プログラムで燃焼バーナーの間引きを決定することができる。
また、順次燃焼バーナーを総当たりして間引くので、より均等に燃焼バーナーの制御を行える。
【発明を実施するための最良の形態】
【０００９】
続いて、添付した図面を参照しつつ、本発明を具体化した実施の形態につき説明し、本発明の理解に供する。
ここで、図１は本発明の一実施の形態に係る燃焼バーナーの間引き制御方法の説明図、図２は同制御方法における固定間引きメモリの説明図である。
【００１０】
まず、図１に示すように、制御装置内に１６ビットの３つのレジスタ（Ｄ１０００、Ｄ１０１１、Ｄ１００２）１０〜１３を用意し、これに実際の対となる蓄熱式燃焼バーナー（加熱炉の制御ゾーン内の燃焼バーナーの一例、以下、「対となる蓄熱式燃焼バーナー」を単に「バーナー」という）を割り当てる。この実施の形態においては加熱炉は６個（６対）のバーナーを備えているので、図２に示すように、１６ビットの下６個を使用し、それぞれ下から、Ｍ１０００、Ｍ１００１、Ｍ１００２、Ｍ１００３、Ｍ１００４、Ｍ１００５とする。今、レジスタＤ１０００に固定間引きメモリ（固定間引きの燃焼バーナー設定用メモリＭ１０００〜Ｍ１００５において、０：燃焼、１：固定間引きと定義したもの）を格納し、この実施の形態では、右から３番目及び５番目のバーナーを固定的に間引くものとし、これはレジスタＤ１０００のデータ＝００１４（１６進数、以下同様）となる。なお、図２において、Ｂはバーナーを、１０は燃焼ゾーンを、ｘ１〜ｘ６は対となる１〜６のバーナーを示している。
【００１１】
そして、実際の操業において、間引くバーナーの数（ＴＤ数）が３の場合について、その制御方法を説明する。なお、間引き数＝ＴＤ数−固定間引き対数とし、間引き数が０又は負となる場合には間引き数は０とする。この実施の形態ではＴＤ数が３であり、固定間引き対数が２であるので、間引き数は１になる。
【００１２】
図１に示すように、各工程（Ａ）〜（Ｆ）において、レジスタＤ１０００に固定間引きのバーナーの場所を、各工程に従って順次移動するバーナーの場所をレジスタＤ１０１１に、その結果（間引くバーナーＴＤの場所）をレジスタＤ１００２に収納する。
１サイクル目である工程（Ａ）では、レジスタＤ１０００のデータ００１４と、レジスタＤ１０１１のデータ０００１を加えると、００１５になりこれがレジスタＤ１００２に、００１５として保存される。この状態は右から１、３、５番目のバーナーが間引かれることになる。
【００１３】
次に工程（Ｂ）も同様の操作（２サイクル目）が行われるが、レジスタＤ１０１１に与えるれるデータは、（Ａ）工程のデータを１ビット分左シフト（左ローテート）したもので、詳細には工程（Ａ）のデータを２倍したものとなる。この結果をレジスタＤ１００２に００１６として保存する。この状態は、右から２、３、５番目のバーナーが間引かれることになる。
【００１４】
次の３サイクル目の工程（Ｃ）においても同様な動作が行われ、レジスタＤ１０１１に０００４のデータが記載される。このデータとレジスタＤ１０００のデータを加えると、００１８となるが、右から３番のビットが０となって、最初の固定間引き条件と矛盾するので、工程（Ｄ）に移行して、レジスタＤ１０１１の１が立っているビットを更にローテートし、レジスタＤ１０１１に０００８のデータを書き込み、レジスタＤ１０００とレジスタＤ１０１１の和を計算すると、００１Ｃになるので、これをレジスタＤ１００２に記載する。この場合は、右から３、４、５番目のバーナーが間引かれることになる。
【００１５】
４サイクル目は、工程（Ｅ）において同じくレジスタＤ１０１１の１が立っているビットをローテートし、右から５番目のビットが１になる。従って、レジスタＤ１０１１には００１０が入力されることになり、この値はレジスタＤ１０００の００１４を加えると、００２４となるが、右から５ビット目が０となって最初の固定間引き条件と矛盾するので、レジスタＤ１０１１の１が立っているビットが更にローテートして、レジスタＤ１０１１を００２０とする。この値にレジスタＤ１０００の値を加えると００３４となり、結局４サイクル目は右から３、５、６番目のバーナーが間引かれることになる。これによって１周期が終了するので、再度、工程（Ａ）からの動作を繰り返すことになる。
【００１６】
即ち、ステップＳ１でレジスタＤ１０００とレジスタＤ１０１１のデータを加え、この値が予め間引いたバーナー（即ち、固定間引きバーナー）と動作矛盾を起こさないか否かを確認し（ステップＳ２）、矛盾が生じる場合にはレジスタＤ１０１１のデータを２倍して、レジスタＤ１０００のデータに加えることになる（ステップＳ３）。そして、ステップＳ２で、固定間引きバーナーと矛盾を起こさないデータとなった場合は、このデータで次のステップの間引きするバーナーを決定することになる。
【００１７】
なお、前記実施の形態においては、１６ビットのレジスタを使用したが、８ビットのレジスタ又はその他の桁（バーナー数と同数以上）のレジスタを使用することもできる。また、場合によっては、プログラム上でそのようなレジスタを構築し、この仮想のレジスタを用いて燃焼バーナーの間引き制御を行うこともできる。
前記実施の形態においては、燃焼と蓄熱を交互に繰り返す蓄熱式燃焼バーナーの制御について説明したが、通常の燃焼バーナーを間引く場合であっても本発明は適用される。
【産業上の利用可能性】
【００１８】
本発明の燃焼バーナーの間引き制御方法においては、制御装置内のレジスタ（メモリ）を利用して、あるいは制御装置内にそのような仮想のレジスタを設けて、簡単なプログラムによって間引き運転をするバーナーを設定できる。
【図面の簡単な説明】
【００１９】
【図１】本発明の一実施の形態に係る燃焼バーナーの間引き制御方法の説明図である。
【図２】同制御方法における固定間引きメモリの説明図である。
【符号の説明】
【００２０】
１０〜１２：レジスタ
【図１】
2006275401.tif 000003
【図２】
2006275401.tif 000004